(57)【要約】      （修正有）【課題】ネックとボディーの接合部分が急激に屈曲することを防止することができ、トラスロッドを用いてネックの反りを十分に矯正することができる弦楽器を提供する。【解決手段】表板１０と、上縁部に形成されたネックブロック１３と、ネックブロックの下方に位置し、表板の裏面に固着された力木１６と、を有するボディーと、上下方向に延在し、ネックブロックと接合されているネックと、上下方向に延在し、ネックに埋設されたトラスロッド４と、ネックから力木まで上下方向に延在するようにネック及びボディーに埋設され、ネック及びボディーに固着されている補強部材５と、を備える。【選択図】図３
2015001637.tif 000002
【特許請求の範囲】
【請求項１】
表板と、上縁部に形成されたネックブロックと、前記ネックブロックの下方に位置し、前記表板の裏面に固着された力木と、を有するボディーと、
上下方向に延在し、前記ネックブロックと接合されているネックと、
上下方向に延在し、前記ネックに埋設されたトラスロッドと、
前記ネックから前記力木まで上下方向に延在するように前記ネック及び前記ボディーに埋設され、前記ネック及び前記ボディーに固着されている補強部材と、を備える弦楽器。
【請求項２】
前記補強部材の下端部の底面は前記力木に固着されている、請求項１に記載の弦楽器。
【請求項３】
前記補強部材は、前記トラスロッドの両側方に一対設けられている、請求項１又は２に記載の弦楽器。
【発明の詳細な説明】
【技術分野】
【０００１】
本発明は、ギターを含む弦楽器に関する。
【背景技術】
【０００２】
従来、延長部を有し、指板の全長に亘って延在する棹（ネック）と、補強ブロック及び表面板補強木を有し、これらには延長部と嵌合する溝が設けられている胴と、を備え、延長部と溝とが嵌合するように棹と胴とが接合されているギターが知られている（例えば特許文献１参照）。
【０００３】
これによって、指板と棹とが一体化し、指板が棹と胴との接合部分において急激に屈曲する現象が起こることを防止することができる。
【先行技術文献】
【特許文献】
【０００４】
【特許文献１】実開昭５１‐１２３８３１号公報
【発明の概要】
【発明が解決しようとする課題】
【０００５】
しかし、特許文献１に記載のギターでは、弦の張力の影響を長時間受けたときに経時変化によってネック及び指板全体が弦に対して弧状に反るように曲がる現象の発生を防ぐことはできないという問題があった。
【課題を解決するための手段】
【０００６】
上記課題を解決するため、本発明のある態様に係る弦楽器は、表板と、上縁部に形成されたネックブロックと、前記ネックブロックの下方に位置し、前記表板の裏面に固着された力木と、を有するボディーと、上下方向に延在し、前記ネックブロックと接合されているネックと、上下方向に延在し、前記ネックに埋設されたトラスロッドと、前記ネックから前記力木まで上下方向に延在するように前記ネック及び前記ボディーに埋設され、前記ネック及び前記ボディーに固着されている補強部材と、を備える。
【０００７】
この構成によれば、ネックは弦の張力の影響を長時間受けたときには経時変化によって曲がることがあるが、補強部材の作用により、ボディーとネックの接合部分が急激に屈曲することが防止される。ネックは、全長に亘って均一に弧状に反るように経時変化するだけなので、トラスロッドを用いてネックの反りを十分に矯正することができる。
【０００８】
前記補強部材の下端部の底面は前記力木に固着されていてもよい。
【０００９】
この構成によれば、弦の張力によってネックの両端が引っ張られている状態においては、補強部材の下端部を力木が支持するので、ボディーとネックとの接合部分においてネックがボディーに対して屈曲することを更に効果的に防ぐことができる。
【００１０】
前記補強部材は、前記トラスロッドの両側方に一対設けられていてもよい。
【００１１】
この構成によれば、補強部材とトラスロッドとが干渉することなく、トラスロッドを備える弦楽器のボディーとネックとの接合部分を効果的に補強することができる。
【発明の効果】
【００１２】
本発明は、ネックがボディーに対して屈曲することを防ぐことができる。
【図面の簡単な説明】
【００１３】
【図１】本発明の実施の形態に係る弦楽器の構成例を示す正面図である。
【図２】図１の弦楽器の構成例を示す要部拡大縦断面図である。
【図３】図１の弦楽器の構成例を示す正面斜視図であり、指板及び一方の補強部材を取り外した状態を示す図である。
【図４】図１の弦楽器の構成例を示す背面斜視図であり、裏板を取り外した状態を示す図である。
【図５】図１の弦楽器のネックが順反りした状態を概略的に示す図である。
【発明を実施するための形態】
【００１４】
以下、本発明の実施の形態について、図面を参照しながら説明する。なお、本実施の形態によって本発明が限定されるものではない。また、以下では、全ての図を通じて、同一又は相当する要素には同一の参照符号を付して、その重複する説明を省略する。
【００１５】
（実施の形態）
図１は、本発明の実施の形態に係る弦楽器（ギター１００）の構成例を示す正面図である。図２は、ギター１００の構成例を示す要部拡大縦断面図である。
【００１６】
図１及び図２に示すように、弦楽器は、例えば、ギターであり、ボディー１とネック２と、ヘッド３と、トラスロッド４と、補強部材５と、指板６と、複数の弦７と、を備える。本実施の形態において、ギター１００は六弦のギターであり、６本の弦７を備えるが、これに限られるものではい。以下では、便宜上、ボディー１からヘッド３に向かう方向を上といい、その反対方向を下ということがある。
【００１７】
図３は、ギター１００の構成例を示す正面斜視図であり、指板６及び一方の補強部材５を取り外した状態を示す図である。図４は、ギター１００の構成例を示す背面斜視図であり、後述する裏板１１を取り外した状態を示す図である。
【００１８】
図２〜図４に示すように、ボディー１は、表板１０と、表板１０と対向して離間して位置する裏板１１と、表板１０と裏板１１とを接続する側板１２とを有し、中空に形成されている。そして、ボディー１の上縁部には、図４に示すように、ネックブロック１３が設けられている。以下では、便宜上、裏板１１から表板１０に向かう方向を表方向といい、その反対方向を裏方向ということがある。
【００１９】
図１〜図３に示すように、表板１０は、中央部に円形のサウンドホール１４を有する。サウンドホール１４は、弦７の振動によって生じたボディー１の共鳴音を外部に放出する。
【００２０】
また、図１に示すように、表板１０は、サウンドホール１４の下方位置においてボディー１の幅方向に延在し、表方向に突出するサドル８を有する。サドル８は、短冊状に形成されており、弦７の下部を支持し、弦７の振動をボディー１に伝える。
【００２１】
更に、表板１０には、サドル８の下方位置において表板１０から外方に突出するブリッジピン９が複数設けられている。弦７の本数に応じた数のブリッジピン９が表板１０に設けられている。ブリッジピン９は、弦７の下端部をボディー１に係止している。
【００２２】
また、図３に示すように、表板１０は、上端から下方に向かって切り欠かれた切欠部４３を有する。切欠部４３は、後述する長溝４１の開口部を露出するように形成されている。
【００２３】
更に、表板１０は、上端から下方に向かって切り欠かれた一対の切欠部５３を有する。切欠部５３は、後述する長溝５１の開口部を露出するように形成されている。
【００２４】
また、図４に示すように、表板１０の裏面には、ブレーシング１５が固着されている。ブレーシング１５は、力木１６を有する。この力木１６は、表板１０の裏面のネックブロック１３とサウンドホール１４との間の領域に固着されている。したがって、力木１６はネックブロック１３の下方に位置している。力木１６は、大略角棒状に形成され、ボディー１の幅方向（ネック２の延在方向と交差する方向）に延在している。そして、力木１６の両端は、表板１０の周縁部に位置している。また、力木１６には、上下方向に延在する貫通孔である孔４２が形成されている。孔４２は、トラスロッド４の軸線上に形成されている。
【００２５】
図２に示すように、ネックブロック１３は、ブロック状に形成され、表板１０と裏板１１との間に位置している。そして、ネックブロック１３の表面は、表板１０の裏面に固着されている。また、ネックブロック１３の裏面は、裏板１１の裏面に固着されている。図３に示すように、ネックブロック１３の上面には、ネック２の後述する突出部２２と係合する凹溝１７が形成されている。この凹溝１７は、ネックブロック１３の表面の延在方向と直交する方向から見て台形状に形成され、下方に向かうにしたがって幅寸法が大きくなるように形成されている。
【００２６】
ネック２は、上下方向に延在する柱状に形成されている。本実施の形態において、ネック２は、マホガニー材によって構成されているがこれに限られるものではない。そして、図２及び図４に示すように、ネック２は、下端部の裏面から突出するように形成された踵状のネックヒール２１を有している。ネックヒール２１を含むネック２の表面から裏面までの寸法は、ボディー１の厚み寸法と略同一に形成されている。そして、図３に示すように、ネック２は、ネック２の下端部から下方に突出するように形成された突出部２２を有する。この突出部２２は、ネック２の表面の延在方向と直交する方向から見て台形状に形成され、下方に向かうにしたがって幅寸法が大きくなるように形成されている。そして、突出部２２は、ネックブロック１３の凹溝１７と嵌合するように形成され、ネックブロック１３と嵌合した上で、接着材により接着されて接合されている。これによって、ボディー１とネック２とは一体的に接合されている。
【００２７】
図１に示すように、ヘッド３は、ネック２の上端に連なるように設けられている。ヘッド３は、弦７の本数に応じた数のペグ３１を備える。ペグ３１には、弦７の上端部が巻きつけられて留められており、これを回転させることによって弦７にかかる張力を調整することができる。
【００２８】
更に、ネック２とヘッド３との境界部分には、ネック２及びヘッド３の幅方向に延在し、表方向に突出するナット３２が設けられている。ナット３２は、短冊状に形成されており、弦７の上部を支持している。
【００２９】
そして、図２及び図３に示すように、ボディー１及びネック２の境界部分には、表方向に開口する長溝４１が形成されている。この長溝４１は、トラスロッド４が埋設される溝であり、表方向に開口し、上下方向に一直線に延びている。そして、長溝４１は、ボディー１とネック２との境界を跨ぎ、ネックブロック１３を横断している。
【００３０】
更に、ボディー１及びネック２の境界部分には、表方向に開口する長溝５１がトラスロッド４の両側方に形成されている。この一対の長溝５１は、一対の補強部材５が埋設される溝であり、表方向に開口し、上下方向に一直線に伸びている。そして、長溝５１は、ボディー１とネック２との境界を跨ぎ、ネックブロック１３を横断し、更に、力木１６の幅方向（ギター１００における上下方向）中間部まで延びている。なお、図２及び図４に示すように、ネックブロック１３と力木１６とは離間しているため、この部分において長溝５１の底部は、ボディー１の内部空間と連通している。
【００３１】
図５は、ギター１００のネック２が順反りした状態を概略的に示す図である。
【００３２】
トラスロッド４は、ネック２及び指板６の反りを矯正する機構であり、周知のトラスロッド機構によって構成される。本実施の形態において、トラスロッド４は、下端部に設けられた調整ナット４６を回すことによって、弦７の張力によってネック２の両端が表方向に引っ張られるように弧状に反っている状態（図５参照）（以下、「順反り」ということがある。）のネック２をその反対方向に反らし、ネック２の反りを矯正することができるようになっている。そして、トラスロッド４は、棒状体であり、図２〜図４に示すように、長溝４１に埋設され、接着剤により接着されている。したがって、トラスロッド４は、上下方向に延在している。更に、図２及び図４に示すように、トラスロッド４は、下端が孔４２に挿通されている。したがって、調整ナット４６は孔４２から露出しているので、例えばサウンドホールを介して挿入した工具を用いて調整ナット４６を回すことができるようになっている。そして、上述の通り、表板１０は、長溝４１の開口部が露出するように上端から下方に向かって切り欠かれた切欠部４３（図２及び図３参照）を有する。これによって、トラスロッド４は、切欠部４３を通じて長溝４１に埋設され、長溝４１に接着される。
【００３３】
図２及び図３に示すように、補強部材５は、大略角棒状に形成され、各長溝５１に埋設され、接着剤により接着されている。したがって、補強部材５は、ボディー１及びネック２に埋設されて固着され、トラスロッド４の両側方において上下方向に延在している。これによって、補強部材５の下端部の底面は、力木１６に固着される。この接着剤としてエポキシ樹脂が例示される。補強部材５は、破断荷重及び曲げ強度がネック２を構成するマホガニー材よりも高いメイプル材によって構成されている。このように、補強部材５は、ボディー１及びネック２の境界部分に形成された長溝５１に埋設されているので、ボディー１とネック２との接合部分を補強することができる。これによって、弦７の張力の影響によって、ボディー１とネック２との接合部においてネック２がボディー１に対して屈曲することを防ぐことができる。特に、補強部材５の下端部の底面は、力木１６に固着されているので、弦７の張力によってネック２の両端が引っ張られている状態においては、補強部材５の下端部にかかる裏方向への力を力木１６が支持し、ボディー１とネック２との接合部分においてネック２がボディー１に対して屈曲することを更に防ぐことができる。なお、補強部材５の材質はこれに限られるものではない。
【００３４】
なお、本実施の形態において、補強部材５は、トラスロッド４と平行に延在するように構成しているがこれに限られるものではなく、これに代えて、ネック２の側縁と平行に延在するように構成してもよい。
【００３５】
また、補強部材５は、トラスロッド４の両側方に一対設けられているので、補強部材５がトラスロッド４に干渉せず、ギター１００のボディー１とネック２との接合部分を効果的に補強することができる。
【００３６】
また、補強部材５には、スレンレス材のような鋼材よりも弾性係数が低く、ネック２の弾性係数に近い木材を用いているので、トラスロッド４の矯正力がネック２の全体に均一に効くようになっている。よって、図５に示すように、トラスロッド４を用いてネック２の反りを適切に矯正することができる。
【００３７】
そして、上述の通り、表板１０は、一対の長溝５１の開口部が露出するように上端から下方に向かって切り欠かれた一対の切欠部５３（図３参照）を有する。これによって、一対の補強部材５は、一対の切欠部５３を通じて一対の長溝５１に埋設され、これらの長溝５１に接着される。
【００３８】
図１に示すように、指板（Fingerboard）６は、ネック２の延在方向に延在する板状の部材であり、ネック２の上端部からサウンドホール１４の上縁部までの表面を覆うようにボディー１の表板１０及びネック２の表面に固着されている。したがって、長溝４１に埋設されたトラスロッド４及び長溝５１に埋設された補強部材５は、指板６によって覆われている。指板６は、指板６の延在方向と直交する方向に延在する複数のフレット６１を有し、これら複数のフレット６１は、所定間隔で指板６の表面に並ぶように設けられている。
【００３９】
弦７は、上述の通り、ペグ３１からブリッジピン９まで延在し、その途中に位置するサドル８及びナット３２によって支持されている。そして、弦７は、上端部がペグ３１に巻き取られることによって張力のかかった状態でサドル８及びナット３２に架け渡されている。そして、トラスロッド４によってネック２の反りが調整されることによって、指板６からの弦７の高さ（弦高）が適切な高さとなるように調整されている。
【００４０】
以上に説明したように、本発明のギター１００は、ネック２は弦７の張力の影響を長時間受けたときには経時変化によって曲がることがあるが、補強部材５がネック２から力木１６までトラスロッド４と平行に延在するようにネック２及びボディー１に埋設され、ネック２及びボディー１に固着されているので、ボディー１とネック２との接合部分が補強され、ボディー１とネック２の接合部分が急激に屈曲することが防止される。したがって、ネック２は、全長に亘って均一に弧状に反るように経時変化するだけなので、トラスロッド４の調整ナット４６を回し、ネック２の反りを十分に矯正することができる。
【００４１】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００４２】
本件発明は、楽器に適用することができる。
【符号の説明】
【００４３】
１  ボディー
２  ネック
３  ヘッド
４  トラスロッド
５  補強部材
６  指板
７  弦
８  サドル
９  ブリッジピン
１０  表板
１１  裏板
１２  側板
１３  ネックブロック
１４  サウンドホール
１５  ブレーシング
１６  力木
１７  凹溝
２１  ネックヒール
２２  突出部
３１  ペグ
３２  ナット
４１  長溝
４２  孔
４３  切欠部
４６  調整ナット
５１  長溝
５３  切欠部
６１  フレット
１００  ギター
【図１】
2015001637.tif 000003
【図２】
2015001637.tif 000004
【図３】
2015001637.tif 000005
【図４】
2015001637.tif 000006
【図５】
2015001637.tif 000007